(57)【要約】      （修正有）【課題】壁面に穴を開ける必要がなく、しかも安定性に優れた壁掛け可能な仏壇を提供する。【解決手段】ピクチャーレール１０に懸垂される吊具たるランナーフック１３にボード２０を取り付け、当該ボード２０に仏壇３０の背板３１を固定する。【選択図】図１
0003152375.tif 000002
【実用新案登録請求の範囲】
【請求項１】
ピクチャーレール（１０）に懸垂されるランナーフック（１３）にボード（２０）を取り付け、当該ボード（２０）に仏壇（３０）の背板（３１）を固定した仏壇。
【請求項２】
ボード（２０）にソーラーパネル（４０）を取り付け仏壇内部の照明器具（４２）に給電するよう構成した請求項１記載の仏壇。
【請求項３】
照明器具（４２）に蓄電池が内蔵されたことを特徴とする請求項２記載の仏壇。
【考案の詳細な説明】
【技術分野】
【０００１】
本考案は仏壇に関し、より詳しくは壁掛け可能な仏壇に関する。
【背景技術】
【０００２】
壁掛け可能な仏壇に関する先行技術として、仏壇の背板に壁掛け手段を設けたもの（特許文献１）、屋内壁面に吊り下げ用のピンを取り付け、このピンに仏壇本体上部に設けた係合片を差し込み、吊るすもの（特許文献２）、屋内壁面に取り付けた掛け具に吊るすもの（特許文献３）、仏壇の背面に吊下金具を設け壁面に吊り下げるもの（特許文献４）などがある。
【先行技術文献】
【特許文献】
【０００３】
【特許文献１】特開２００６−２５５２２２号公報
【特許文献２】特開２００３−２３０４６８号公報
【特許文献３】特開２００２−２２３９３３号公報
【特許文献４】実開平７−９１９２号公報
【考案の概要】
【考案が解決しようとする課題】
【０００４】
昨今住宅の欧米化その他の事情に伴い仏間を有する住宅は減少しており、また、従来のような大型の仏壇を志向しない意識変化もあり、コンパクトでモダンな仏壇が好まれる傾向にある。係る事情の下、コンパクトであり、しかも壁掛け可能な仏壇が提供されるに至っている。
【０００５】
ところが壁掛けタイプの仏壇は、前記先行文献記載の仏壇いずれもがそうであるように、室内壁面に吊り下げるための係止金具を取り付ける必要があるものが多い。
【０００６】
しかし賃貸住宅では壁面に穴を開けることは許されていない場合が多く、係る場合は係止金具を取り付けることはできない。あるいは、昨今の住宅における壁面は、石膏ボード等の化粧ボードにクロスを張ったものが多いが、係る化粧ボードに係止金具をつけても強度が足りず仏壇を吊り下げることは困難である。
【０００７】
他方で、壁と天井との取合部にピクチャーレールを設け、このピクチャーレールに吊具などを設けて仏壇を吊り下げるという手段も考えられる。ところが、ピクチャーレールを用いた懸架は一般に吊り下げる対象として絵画などを考えており、仏壇のようにその内部に花や写真、位牌などを収納するには安定性の面で問題がある。
【０００８】
そこで、本考案は壁面に穴を開ける必要がなく、しかも安定性に優れた壁掛け可能な仏壇を提供することを目的とする。
【０００９】
更に、仏壇内部の照明を外部電源に頼らずに設けることが可能な仏壇を提供することを目的とする。
【課題を解決するための手段】
【００１０】
上記課題を解決するために請求項１記載に係る仏壇は、ピクチャーレールに懸垂される吊具たるランナーフックにボードを取り付け、当該ボードに仏壇の背板を固定するよう構成した。
【００１１】
また、請求項２記載の仏壇はボードにソーラーパネルを取り付け、該ソーラーパネルにより仏壇内部の照明器具に給電するようにした。
【００１２】
更には、請求項３記載の仏壇は照明器具に蓄電池が内蔵せしめた。
【考案の効果】
【００１３】
ピクチャーレールは壁と天井との取合部に取り付けるので、壁面に穴を開ける必要がなく、また取合部には通常梁が通っており仏壇を吊り下げるに十分な強度が保たれる。
【００１４】
また、取合部にピクチャーレールを取り付けるためのネジ穴を開ける必要があるが、取合部の穴は場所的に目立たず、あるいは市販の木部シールやウッドシールを貼ったりウッドパテで埋めるといった方法で容易に修復可能であり問題はない。
【００１５】
また、従来のピクチャーレールのように被懸架物をフックで吊り下げるのではなく、ボードに仏壇を固定するので安定性にも優れたものとなる。
【００１６】
更には、ボードに取り付けたソーラーパネルを用いて、仏壇内部の照明器具に給電するので、配線を室内の壁面にはわす必要がなく、美観の上でも優れた壁掛け型仏壇を提供することが可能となる。
【００１７】
上記ソーラーパネルを備えた仏壇は室内に装備されるものであり、室内光を利用して発電を行うことになる。ゆえに発電能力に限界がある。そこで請求項３記載の考案では照明器具に蓄電池を装備せしめ、もってソーラーパネルの発電量の少なさをカバーするものである。
【図面の簡単な説明】
【００１８】
【図１】本考案の一部破断断面図。
【図２】使用状態を示す正面図。
【図３】請求項２記載の考案の使用状態を示す正面図。
【図４】請求項２記載の考案の部分断面図。
【考案を実施するための形態】
【００１９】
以下、好ましい考案の一実施形態につき図面を参照しながら述べる。
【００２０】
本考案は図１に示すように、室内壁面１にピクチャーレール１０を取り付け、ランナーフック１３にボード２０を取り付け、該ボード２０に仏壇３０を取り付けて成るものである。尚、図１は壁面１に取り付けた場合を示しているが、天井に取り付けても構わない。また、ピクチャーレールの壁面への取り付け方法は、両面テープ、ネジ、ボードアンカー等による固定方法が考えられる。
【００２１】
ピクチャーレール１０はその下面に係止凹部１２が設けられ、該係止凹部１２にランナーフック１３が、係止凹部１２内を長手方向に摺動自在に嵌め込まれる。また、ピクチャーレール１０の室内側は、レールカバー１１で目隠しされる。
【００２２】
ランナーフック１３には、ボード２０がネジ部材２１により取り付けられる。むろんネジ部材２１により固定することは一例であり、釘着・接着その他の方法によっても構わない。
【００２３】
また、ボード２０は板材であり、木材、金属、樹脂、ガラス等を材料として形成するものである。
【００２４】
ボード２０と仏壇３０を構成する背板３１とはネジ部材３４によりネジ着され、これによりボード２０と仏壇３０が固定されるものである。むろんネジ部材３４により固定することは一例であり、釘着その他の方法によっても構わない。
【００２５】
仏壇３０は通常の壁掛けタイプの仏壇と同様なものでよく、天板３２、背板３１、底板３３などから成る枠体に、観音開きの扉を設け、内部には各種仏具を備えることが可能な棚を設けたものなどでよい。
【００２６】
請求項２記載の考案においては図３に示すように、ボード２０にソーラーパネル４０が装備してある。
【００２７】
ソーラーパネル４０により発電された電力を照明器具４２に送電するための電線４１は、ボード２０に設けた孔部２２よりボード２０の背面に導出され、ボード２０に設けた孔部２３及び仏壇３０の背板３１に設けた孔部３１ａを通じて、仏壇３０内部の照明器具４２に至るものである。照明器具４２にはＬＥＤあるいは電球等の発光体４３が設けられ、仏壇内部を照らすものである。
【００２８】
請求項３記載の考案では照明器具４２に蓄電池が内蔵される。蓄電池としては鉛蓄電池、リチウムイオン二次電池、リチウムイオンポリマー二次電池、ニッケル・水素蓄電池、ニッケル・カドミウム蓄電池、ニッケル・鉄蓄電池、ニッケル・亜鉛蓄電池、酸化銀・亜鉛蓄電池等が使用可能である。
【００２９】
尚、照明器具４２の電源としては通常の室内に装備される家庭用電源も利用可能なことは当然であり、係る家庭用電源から電線を引くことを本考案は排除するものではない。
【符号の説明】
【００３０】
１０・・ピクチャーレール
１３・・ランナーフック
２０・・ボード
３０・・仏壇
３１・・背板
４０・・ソーラーパネル
４２・・照明器具
【図１】
0003152375.tif 000003
【図２】
0003152375.tif 000004
【図３】
0003152375.tif 000005
【図４】
0003152375.tif 000006